(57)【要約】  薄型表示装置は、表示ユニット７と外装ケース８を備える。外装ケース８は、表示ユニット７を収納し、梱包箱２１に収容されたときに、上部および下部コーナー部領域８ａ〜８ｄが緩衝材２２，２３により保持される。外装ケース８のバックキャビネット１０は、表示ユニット７の背面側を覆うように表示ユニット７に取り付けられる。表示ユニット７は、緩衝材２２，２３で保持される上部および下部コーナー部領域の周縁部に設けられた補強用のビード部５ａと、ビード部５ａに設けられてバックキャビネット１０がねじ止めされる複数のねじ固定部５ｂとを備える。薄型表示装置において、輸送時に受ける機械的衝撃などによる破損を防ぐことができる。
2013136639.tif 000002
【特許請求の範囲】
【請求項１】
平面型の表示パネルおよびその表示パネルに画像を表示するための駆動回路ブロックを有する表示ユニットと、
前記表示ユニットを収納し、梱包箱に収容されたときに、上部および下部コーナー部領域が、これらの領域に分離して配置された緩衝材により保持される外装ケースと
を備え、
前記外装ケースは、前記表示ユニットの背面側を覆うように前記表示ユニットに取り付けられるバックキャビネットを備え、
前記表示ユニットは、前記緩衝材で保持される前記上部および下部コーナー部領域の周縁部に設けられた補強用のビード部と、前記ビード部に設けられて前記バックキャビネットがねじ止めされる複数のねじ固定部とを備えることを特徴とする、薄型表示装置。
【請求項２】
前記表示ユニットは、表示パネルの背面側に配置されて前記駆動回路ブロックの回路基板が取り付けられるフレームを有し、前記フレームの周縁部に前記ビード部と前記ねじ固定部とを備えることを特徴とする、請求項１に記載の薄型表示装置。
【請求項３】
前記ビード部は、前記フレームの周縁部を部分的に背面側に膨出させることで形成されていることを特徴とする、請求項２に記載の薄型表示装置。
【請求項４】
前記ねじ固定部は、前記ビード部を部分的に背面側に突出させることで形成されていることを特徴とする、請求項３に記載の薄型表示装置。
【発明の詳細な説明】
【技術分野】
【０００１】
本開示は、テレビジョン受像機やモニター装置に使用される液晶表示装置、プラズマ表示装置等の薄型表示装置に関するものである。
【背景技術】
【０００２】
液晶表示装置は、平面型の薄型表示装置として、一般家庭は勿論のこと、業務用として、需要が拡大している。【０００３】
一般的に液晶表示装置は、平面型の液晶表示パネルの背面側に、面光源としてのバックライト装置を配置して表示モジュールを構成し、この表示モジュールを、フロントキャビネットとバックキャビネットからなる薄型の筐体の内部に収容することにより構成されている(特許文献１参照)。
【先行技術文献】
【特許文献】
【０００４】
【特許文献１】特開２００９−１３９４２６号公報
【発明の概要】
【発明が解決しようとする課題】
【０００５】
本開示は、輸送時に受ける機械的衝撃などによる薄型表示装置の破損を防ぐことを目的とする。
【課題を解決するための手段】
【０００６】
液晶表示装置においては、ＬＥＤを用いたバックライト装置の普及に伴い、より一層の薄型化が図られている。また、外観デザインの観点から、画像表示領域に比べ、フロントキャビネットの周縁部を狭くした狭額縁のデザイン形状の製品が増えてきている。【０００７】
このように液晶表示装置及びその他の薄型表示装置（例えばプラズマ表示装置）においては、従来に比べ、より一層薄型化が図られるとともに、狭額縁デザインの採用により、表示装置としての機械的な強度が弱くなる傾向にあり、輸送時に受ける機械的衝撃による破損が課題となってきている。【０００８】
本開示はこのような現状に鑑みなされたもので、薄型表示装置において、輸送時に受ける機械的衝撃などによる破損を防ぐことを目的とするものである。【０００９】
この課題を解決するために本開示は、平面型の表示パネルおよびその表示パネルに画像を表示するための駆動回路ブロックを有する表示ユニットと、前記表示ユニットを収納し、梱包箱に収容されたときに、上部および下部コーナー部領域が、これらの領域に分離して配置された緩衝材により保持される外装ケースとを備え、前記外装ケースは、前記表示ユニットの背面側を覆うように前記表示ユニットに取り付けられるバックキャビネットを備え、前記表示ユニットは、前記緩衝材で保持される前記上部および下部コーナー部領域の周縁部に設けられた補強用のビード部と、前記ビード部に設けられて前記バックキャビネットがねじ止めされる複数のねじ固定部とを備えることを特徴とする、薄型表示装置を提供する。
【発明の効果】
【００１０】
本開示によれば、輸送時に受ける機械的衝撃などから薄型表示装置を効果的に保護し、表示パネルなどの破損を防ぐことができる。
【図面の簡単な説明】
【００１１】
【図１】本開示の一実施の形態に係る液晶表示装置の外観を示す斜視図。
【図２】液晶表示装置の分解斜視図
【図３】液晶表示装置の全体構成の回路ブロックを示すブロック図。
【図４】表示装置本体を梱包箱に収容している状態を示す斜視図。
【図５】表示装置本体と緩衝材との位置関係を示す背面図。
【図６】図５の部分Ａの断面図（VI-VI断面）。
【図７】液晶表示装置のバックキャビネットを取り除いて表示ユニットを示す背面図。
【図８】図７の部分Ｂの拡大図。
【発明を実施するための形態】
【００１２】
以下、本開示の一実施の形態による薄型表示装置について、液晶表示装置に使用する表示モジュールを例に図面を参照して説明する。ただし、必要以上に詳細な説明は省略する場合がある。例えば、既に良く知られた事項の詳細説明や実質的に同一の構成に対する重複説明を省略する場合がある。これは、以下の説明が不必要に冗長になることを避け、当業者の理解を容易にするためである。なお、本発明者らは、当業者が本開示を十分に理解するために添付図面および以下の説明を提供するのであって、これらによって特許請求の範囲に記載の主題を限定することを意図するものではない。
【００１３】
図１は本開示の一実施の形態において、完成品である液晶表示装置の外観を示す図、図２は表示装置本体の分解斜視図、図３は同液晶表示装置の全体構成の回路ブロックを示す図である。以下の説明において、「上側」、「下側」、「左側」、「右側」、「前面」、及び「背面」のように方向に言及する場合、図１に示すように、液晶表示装置を通常の使用状態の姿勢に配置し、液晶表示パネル３を正面から見た場合を基準とする。
【００１４】
図１、図２に示すように、液晶表示装置は表示装置本体１と、この表示装置本体１を立てた状態で保持するスタンド２とを有している。表示装置本体１が備える表示ユニット７は、平面型の表示パネルである液晶表示パネル（以下、単に表示パネルという）３と、バックライト装置を構成する導光板４と、これらの液晶表示パネル３および導光板４を保持する金属製のフレーム５と、液晶表示パネル３に画像を表示するための駆動回路ブロック６とを有する。表示ユニット７は、表示装置本体１を構成する他の部品とともに、樹脂成型品などからなる外装ケース８内に収容されている。
【００１５】
また、外装ケース８は、表示パネル３の画像表示領域に対応するように開口部９ａを設けたフロントキャビネット９と、このフロントキャビネット９と組み合わせられて表示ユニット７の背面側を覆うバックキャビネット１０とから構成されている。外装ケース８のバックキャビネット１０は、表示ユニット７の背面側を覆うように、周縁部を表示ユニット７のフレーム５にビスによりねじ止めすることにより取り付けられている。
【００１６】
なお、図２において、前フレーム７ａは、金属製で、フレーム５とともに液晶表示パネル３および導光板４を保持する。
【００１７】
図３に示すように、液晶表示装置全体の概略構成としては、表示パネル３に画像を表示する駆動回路に加え、信号処理回路ブロック１２、電源ブロック１３、及びチューナ１４が設けられている。信号処理回路ブロック１２は、バックライト装置１１の点灯を制御する点灯制御回路を備える。電源ブロック１３は、表示パネル３、バックライト装置１１および信号処理回路ブロック１２に電源電圧を供給する。チューナ１４は、テレビジョン放送を受信して前記信号処理回路ブロック１２に受信信号を供給する。信号処理回路ブロック１２と電源ブロック１３は、それぞれ回路基板に回路を構成する部品を搭載することにより構成されている。信号処理回路ブロック１２、電源ブロック１３、チューナ１４などを搭載した駆動回路ブロック６は、表示ユニット７が備えるフレーム５の背面側に取り付けられ、表示ユニット７とバックキャビネット１０との間の空間に配置されている。
【００１８】
図４、図５、図６は液晶表示装置の梱包方法を説明するための図であり、図４は表示装置本体を梱包箱に収容している状態を示す斜視図、図５は表示装置本体と緩衝材との位置関係を示す平面図、図６は図５のＡ部において、梱包した状態で上下方向に切断した断面図（VI-VI断面図）である。
【００１９】
図４〜図６に示すように、表示装置本体１は、包装袋（図示せず）で覆った後、リモコンなどの付属品２０とともに、ダンボールからなる梱包箱２１に収容することにより梱包される。このとき、梱包箱２１の上部および下部の左右のコーナー部には、上部コーナー部の一対の緩衝材２２および下部コーナー部の一対の緩衝材２３がそれぞれ分離して配置されている。また、上部中央部および下部中央部にも、緩衝材２２、２３とは分離した状態で緩衝材２４が配置されている。これらの緩衝材２２、２３、２４は、例えば発泡スチロールのように、少なくともある程度の弾性ないし緩衝性を有する材料からなる。
【００２０】
梱包箱２１の上部および下部のコーナー部に配置した緩衝材２２、２３により、図４、図５に示すように、表示装置本体１の外装ケース８の上部および下部のコーナー部領域８ａ，８ｂ，８ｃ，８ｄが保持される。具体的には、外装ケース８の上部コーナー部領域８ａ，８ｂが緩衝材２２により保持され、外装ケース５の下部コーナー領域８ｃ，８ｄが緩衝材２３により保持される。
【００２１】
図６に示すように、外装ケース８のバックキャビネット１０は、表示ユニット７の背面側を覆うように、周縁部をフレーム５にビス８ｅによりねじ止めすることにより取り付けられている。また、表示ユニット７が備えるフレーム５の上部コーナー部の緩衝材２２と下部コーナー部の緩衝材２３により保持される周縁部、すなわちフレーム５の四隅に、絞り加工により補強用のビード部５ａが設けられている。個々のビード部５ａにはバックキャビネット１０がねじ止めされる複数個（図６に示すものは２個）のねじ固定部５ｂが設けられている。ねじ固定部５ｃはビード部５ａ以外に設ける。
【００２２】
図７は、液晶表示装置のバックキャビネットを取り除いて表示ユニットを示す平面図、図８は、図７のＢ部を拡大して示す斜視図である。
【００２３】
図７、図８に示すように、表示ユニット７の駆動回路ブロック６の回路基板が取り付けられるフレーム５には、上部コーナー部の緩衝材２２と下部コーナー部の緩衝材２３により保持される周縁部には、フレーム５の一部が背面側に膨出するように絞り加工を行うことにより、補強用のビード部５ａが設けられている。本実施の形態では、ビード部５ａは背面側から見ると上下方向に延びる概ね一定幅の細長い帯状である。ビード部５ａ内にの上下両端付近に２個のねじ固定部５ｂが設けられている。これらのねじ固定部５ｂはビード部５ａを部分的にさらに背面側に突出させることで設けられている。
【００２４】
そして、図６に示すように、緩衝材２２と緩衝材２３は、前面側の壁部２２ａ（２３ａ）が表示装置本体１のフロントキャビネット９を保持し、背面側の壁部２２ｂ（２３ｂ）が表示装置本体１のフレーム５のビード部５ａを保持するように、表示装置本体１に配置されている。なお、緩衝材２２と緩衝材２３の背面側の壁部２２ｂ（２３ｂ）は、上下方向の端部がビード部５ａに設けられた２個のねじ固定部５ｂの間に位置するように配置されている。
【００２５】
外装ケース８が狭額縁化されるに伴い、外装ケース８の周縁部の幅が狭くなって強度が低下する。また、バックキャビネット１０を表示ユニット７にねじ止めするためにバックキャビネット１０に穴加工を行う必要があり、さらに強度が低下してしまう。
【００２６】
本開示においては、表示ユニット７のフレーム５には、上部コーナー部の緩衝材２２と下部コーナー部の緩衝材２３により保持される周縁部に補強用のビード部５ａを設けるとともに、ビード部５ａにバックキャビネット１０がねじ止めされる複数のねじ固定部５ｂを設けている。この固定構造により、表示装置本体１を変形させようとする応力に対して強度を向上させることができる。その結果、外装ケース８が狭額縁化された場合であっても、応力に対する表示装置本体１の強度を十分確保でき、輸送途中で表示装置本体１が破損してしまうのを防止することができる。
【００２７】
このように本開示においては、薄型表示装置において、より一層の薄型化が図られるとともに、狭額縁デザインの採用により、機械的な強度が低下しても、輸送時に受ける機械的衝撃などによる破損を防ぐことができるという効果が得られる。
【産業上の利用可能性】
【００２８】
以上のように本開示は、輸送時における薄型表示装置の破損を防ぐ上で有用である。
【符号の説明】
【００２９】
１  表示装置本体
３  液晶表示パネル
４  導光板
５  フレーム
５ａ  ビード部
５ｂ，５ｃ  ねじ固定部
６  駆動回路ブロック
７  表示ユニット
８  外装ケース
８ｅ  ビス
９  フロントキャビネット
１０  バックキャビネット
２１  梱包箱
２２，２３，２４  緩衝材
２２ａ，２２ｂ  壁部
【図１】
2013136639.tif 000003
【図２】
2013136639.tif 000004
【図３】
2013136639.tif 000005
【図４】
2013136639.tif 000006
【図５】
2013136639.tif 000007
【図６】
2013136639.tif 000008
【図７】
2013136639.tif 000009
【図８】
2013136639.tif 000010
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
平面型の表示パネルおよびその表示パネルに画像を表示するための駆動回路ブロックを有する表示ユニットと、
前記表示ユニットを収納し、梱包箱に収容されたときに、上部および下部コーナー部領域が、これらの領域に分離して配置された緩衝材により保持される外装ケースと
を備え、
前記外装ケースは、前記表示ユニットの背面側を覆うように前記表示ユニットに取り付けられるバックキャビネットを備え、
前記表示ユニットは、前記緩衝材で保持される前記上部および下部コーナー部領域の周縁部に設けられた補強用のビード部と、前記ビード部に設けられて前記バックキャビネットがねじ止めされる複数のねじ固定部とを備え、
前記ビード部の前記表示ユニット上の位置は、前記外装ケースの上部および下部コーナー部領域に配置された前記緩衝材の上下方向の端部が前記ビード部上に位置するように設定されていることを特徴とする、薄型表示装置。
【請求項２】
前記表示ユニットは、表示パネルの背面側に配置されて前記駆動回路ブロックの回路基板が取り付けられるフレームを有し、前記フレームの周縁部に前記ビード部と前記ねじ固定部とを備えることを特徴とする、請求項１に記載の薄型表示装置。
【請求項３】
前記ビード部は、前記フレームの周縁部を部分的に背面側に膨出させることで形成されていることを特徴とする、請求項２に記載の薄型表示装置。
【請求項４】
前記ねじ固定部は、前記ビード部を部分的に背面側に突出させることで形成されていることを特徴とする、請求項３に記載の薄型表示装置。
【手続補正書】
【提出日】平成25年6月10日(2013.6.10)
【手続補正１】
【補正対象書類名】明細書
【補正対象項目名】全文
【補正方法】変更
【補正の内容】
【発明の詳細な説明】
【技術分野】
【０００１】
本開示は、テレビジョン受像機やモニター装置に使用される液晶表示装置、プラズマ表示装置等の薄型表示装置に関するものである。
【背景技術】
【０００２】
液晶表示装置は、平面型の薄型表示装置として、一般家庭は勿論のこと、業務用として、需要が拡大している。
【０００３】
一般的に液晶表示装置は、平面型の液晶表示パネルの背面側に、面光源としてのバックライト装置を配置して表示モジュールを構成し、この表示モジュールを、フロントキャビネットとバックキャビネットからなる薄型の筐体の内部に収容することにより構成されている(特許文献１参照)。
【先行技術文献】
【特許文献】
【０００４】
【特許文献１】特開２００９−１３９４２６号公報
【発明の概要】
【発明が解決しようとする課題】
【０００５】
本開示は、輸送時に受ける機械的衝撃などによる薄型表示装置の破損を防ぐことを目的とする。
【課題を解決するための手段】
【０００６】
液晶表示装置においては、ＬＥＤを用いたバックライト装置の普及に伴い、より一層の薄型化が図られている。また、外観デザインの観点から、画像表示領域に比べ、フロントキャビネットの周縁部を狭くした狭額縁のデザイン形状の製品が増えてきている。
【０００７】
このように液晶表示装置及びその他の薄型表示装置（例えばプラズマ表示装置）においては、従来に比べ、より一層薄型化が図られるとともに、狭額縁デザインの採用により、表示装置としての機械的な強度が弱くなる傾向にあり、輸送時に受ける機械的衝撃による破損が課題となってきている。
【０００８】
本開示はこのような現状に鑑みなされたもので、薄型表示装置において、輸送時に受ける機械的衝撃などによる破損を防ぐことを目的とするものである。
【０００９】
この課題を解決するために本開示は、平面型の表示パネルおよびその表示パネルに画像を表示するための駆動回路ブロックを有する表示ユニットと、前記表示ユニットを収納し、梱包箱に収容されたときに、上部および下部コーナー部領域が、これらの領域に分離して配置された緩衝材により保持される外装ケースとを備え、前記外装ケースは、前記表示ユニットの背面側を覆うように前記表示ユニットに取り付けられるバックキャビネットを備え、前記表示ユニットは、前記緩衝材で保持される前記上部および下部コーナー部領域の周縁部に設けられた補強用のビード部と、前記ビード部に設けられて前記バックキャビネットがねじ止めされる複数のねじ固定部とを備え、前記ビード部の前記表示ユニット上の位置は、前記外装ケースの上部および下部コーナー部領域に配置された前記緩衝材の上下方向の端部が前記ビード部上に位置するように設定されていることを特徴とする、薄型表示装置を提供する。
【発明の効果】
【００１０】
本開示によれば、輸送時に受ける機械的衝撃などから薄型表示装置を効果的に保護し、表示パネルなどの破損を防ぐことができる。
【図面の簡単な説明】
【００１１】
【図１】本開示の一実施の形態に係る液晶表示装置の外観を示す斜視図。
【図２】液晶表示装置の分解斜視図。
【図３】液晶表示装置の全体構成の回路ブロックを示すブロック図。
【図４】表示装置本体を梱包箱に収容している状態を示す斜視図。
【図５】表示装置本体と緩衝材との位置関係を示す背面図。
【図６】図５の部分Ａの断面図（VI-VI断面）。
【図７】液晶表示装置のバックキャビネットを取り除いて表示ユニットを示す背面図。
【図８】図７の部分Ｂの拡大図。
【発明を実施するための形態】
【００１２】
以下、本開示の一実施の形態による薄型表示装置について、液晶表示装置に使用する表示モジュールを例に図面を参照して説明する。ただし、必要以上に詳細な説明は省略する場合がある。例えば、既に良く知られた事項の詳細説明や実質的に同一の構成に対する重複説明を省略する場合がある。これは、以下の説明が不必要に冗長になることを避け、当業者の理解を容易にするためである。なお、本発明者らは、当業者が本開示を十分に理解するために添付図面および以下の説明を提供するのであって、これらによって特許請求の範囲に記載の主題を限定することを意図するものではない。
【００１３】
図１は本開示の一実施の形態において、完成品である液晶表示装置の外観を示す図、図２は表示装置本体の分解斜視図、図３は同液晶表示装置の全体構成の回路ブロックを示す図である。以下の説明において、「上側」、「下側」、「左側」、「右側」、「前面」、及び「背面」のように方向に言及する場合、図１に示すように、液晶表示装置を通常の使用状態の姿勢に配置し、液晶表示パネル３を正面から見た場合を基準とする。
【００１４】
図１、図２に示すように、液晶表示装置は表示装置本体１と、この表示装置本体１を立てた状態で保持するスタンド２とを有している。表示装置本体１が備える表示ユニット７は、平面型の表示パネルである液晶表示パネル（以下、単に表示パネルという）３と、バックライト装置を構成する導光板４と、これらの液晶表示パネル３および導光板４を保持する金属製のフレーム５と、液晶表示パネル３に画像を表示するための駆動回路ブロック６とを有する。表示ユニット７は、表示装置本体１を構成する他の部品とともに、樹脂成型品などからなる外装ケース８内に収容されている。
【００１５】
また、外装ケース８は、表示パネル３の画像表示領域に対応するように開口部９ａを設けたフロントキャビネット９と、このフロントキャビネット９と組み合わせられて表示ユニット７の背面側を覆うバックキャビネット１０とから構成されている。外装ケース８のバックキャビネット１０は、表示ユニット７の背面側を覆うように、周縁部を表示ユニット７のフレーム５にビスによりねじ止めすることにより取り付けられている。
【００１６】
なお、図２において、前フレーム７ａは、金属製で、フレーム５とともに液晶表示パネル３および導光板４を保持する。
【００１７】
図３に示すように、液晶表示装置全体の概略構成としては、表示パネル３に画像を表示する駆動回路に加え、信号処理回路ブロック１２、電源ブロック１３、及びチューナ１４が設けられている。信号処理回路ブロック１２は、バックライト装置１１の点灯を制御する点灯制御回路を備える。電源ブロック１３は、表示パネル３、バックライト装置１１および信号処理回路ブロック１２に電源電圧を供給する。チューナ１４は、テレビジョン放送を受信して前記信号処理回路ブロック１２に受信信号を供給する。信号処理回路ブロック１２と電源ブロック１３は、それぞれ回路基板に回路を構成する部品を搭載することにより構成されている。信号処理回路ブロック１２、電源ブロック１３、チューナ１４などを搭載した駆動回路ブロック６は、表示ユニット７が備えるフレーム５の背面側に取り付けられ、表示ユニット７とバックキャビネット１０との間の空間に配置されている。
【００１８】
図４、図５、図６は液晶表示装置の梱包方法を説明するための図であり、図４は表示装置本体を梱包箱に収容している状態を示す斜視図、図５は表示装置本体と緩衝材との位置関係を示す平面図、図６は図５のＡ部において、梱包した状態で上下方向に切断した断面図（VI-VI断面図）である。
【００１９】
図４〜図６に示すように、表示装置本体１は、包装袋（図示せず）で覆った後、リモコンなどの付属品２０とともに、ダンボールからなる梱包箱２１に収容することにより梱包される。このとき、梱包箱２１の上部および下部の左右のコーナー部には、上部コーナー部の一対の緩衝材２２および下部コーナー部の一対の緩衝材２３がそれぞれ分離して配置されている。また、上部中央部および下部中央部にも、緩衝材２２、２３とは分離した状態で緩衝材２４が配置されている。これらの緩衝材２２、２３、２４は、例えば発泡スチロールのように、少なくともある程度の弾性ないし緩衝性を有する材料からなる。
【００２０】
梱包箱２１の上部および下部のコーナー部に配置した緩衝材２２、２３により、図４、図５に示すように、表示装置本体１の外装ケース８の上部および下部のコーナー部領域８ａ，８ｂ，８ｃ，８ｄが保持される。具体的には、外装ケース８の上部コーナー部領域８ａ，８ｂが緩衝材２２により保持され、外装ケース５の下部コーナー領域８ｃ，８ｄが緩衝材２３により保持される。
【００２１】
図６に示すように、外装ケース８のバックキャビネット１０は、表示ユニット７の背面側を覆うように、周縁部をフレーム５にビス８ｅによりねじ止めすることにより取り付けられている。また、表示ユニット７が備えるフレーム５の上部コーナー部の緩衝材２２と下部コーナー部の緩衝材２３により保持される周縁部、すなわちフレーム５の四隅に、絞り加工により補強用のビード部５ａが設けられている。個々のビード部５ａにはバックキャビネット１０がねじ止めされる複数個（図６に示すものは２個）のねじ固定部５ｂが設けられている。ねじ固定部５ｃはビード部５ａ以外に設ける。
【００２２】
図７は、液晶表示装置のバックキャビネットを取り除いて表示ユニットを示す平面図、図８は、図７のＢ部を拡大して示す斜視図である。
【００２３】
図７、図８に示すように、表示ユニット７の駆動回路ブロック６の回路基板が取り付けられるフレーム５には、上部コーナー部の緩衝材２２と下部コーナー部の緩衝材２３により保持される周縁部には、フレーム５の一部が背面側に膨出するように絞り加工を行うことにより、補強用のビード部５ａが設けられている。本実施の形態では、ビード部５ａは背面側から見ると上下方向に延びる概ね一定幅の細長い帯状である。ビード部５ａ内にの上下両端付近に２個のねじ固定部５ｂが設けられている。これらのねじ固定部５ｂはビード部５ａを部分的にさらに背面側に突出させることで設けられている。
【００２４】
そして、図６に示すように、緩衝材２２と緩衝材２３は、前面側の壁部２２ａ（２３ａ）が表示装置本体１のフロントキャビネット９を保持し、背面側の壁部２２ｂ（２３ｂ）が表示装置本体１のフレーム５のビード部５ａを保持するように、表示装置本体１に配置されている。なお、緩衝材２２と緩衝材２３の背面側の壁部２２ｂ（２３ｂ）は、上下方向の端部がビード部５ａに設けられた２個のねじ固定部５ｂの間に位置するように配置されている。
【００２５】
外装ケース８が狭額縁化されるに伴い、外装ケース８の周縁部の幅が狭くなって強度が低下する。また、バックキャビネット１０を表示ユニット７にねじ止めするためにバックキャビネット１０に穴加工を行う必要があり、さらに強度が低下してしまう。
【００２６】
本開示においては、表示ユニット７のフレーム５には、上部コーナー部の緩衝材２２と下部コーナー部の緩衝材２３により保持される周縁部に補強用のビード部５ａを設けるとともに、ビード部５ａにバックキャビネット１０がねじ止めされる複数のねじ固定部５ｂを設けている。この固定構造により、表示装置本体１を変形させようとする応力に対して強度を向上させることができる。その結果、外装ケース８が狭額縁化された場合であっても、応力に対する表示装置本体１の強度を十分確保でき、輸送途中で表示装置本体１が破損してしまうのを防止することができる。
【００２７】
このように本開示においては、薄型表示装置において、より一層の薄型化が図られるとともに、狭額縁デザインの採用により、機械的な強度が低下しても、輸送時に受ける機械的衝撃などによる破損を防ぐことができるという効果が得られる。
【産業上の利用可能性】
【００２８】
以上のように本開示は、輸送時における薄型表示装置の破損を防ぐ上で有用である。
【符号の説明】
【００２９】
１  表示装置本体
３  液晶表示パネル
４  導光板
５  フレーム
５ａ  ビード部
５ｂ，５ｃ  ねじ固定部
６  駆動回路ブロック
７  表示ユニット
８  外装ケース
８ｅ  ビス
９  フロントキャビネット
１０  バックキャビネット
２１  梱包箱
２２，２３，２４  緩衝材
２２ａ，２２ｂ  壁部
【手続補正２】
【補正対象書類名】特許請求の範囲
【補正対象項目名】全文
【補正方法】変更
【補正の内容】
【特許請求の範囲】
【請求項１】
平面型の表示パネルおよびその表示パネルに画像を表示するための駆動回路ブロックを有する表示ユニットと、
前記表示ユニットを収納し、梱包箱に収容されたときに、上部および下部コーナー部領域が、これらの領域に分離して配置された緩衝材により保持される外装ケースと
を備え、
前記外装ケースは、前記表示ユニットの背面側を覆うように前記表示ユニットに取り付けられるバックキャビネットを備え、
前記表示ユニットは、前記緩衝材で保持される前記上部および下部コーナー部領域の周縁部に設けられた補強用のビード部と、前記ビード部に設けられて前記バックキャビネットがねじ止めされる複数のねじ固定部とを備え、
前記ビード部の前記表示ユニット上の位置は、前記外装ケースの上部および下部コーナー部領域に配置された前記緩衝材の上下方向の端部が前記ビード部上に位置するように設定されていることを特徴とする、薄型表示装置。
【請求項２】
前記表示ユニットは、表示パネルの背面側に配置されて前記駆動回路ブロックの回路基板が取り付けられるフレームを有し、前記フレームの周縁部に前記ビード部と前記ねじ固定部とを備えることを特徴とする、請求項１に記載の薄型表示装置。
【請求項３】
前記ビード部は、前記フレームの周縁部を部分的に背面側に膨出させることで形成されていることを特徴とする、請求項２に記載の薄型表示装置。
【請求項４】
前記ねじ固定部は、前記ビード部を部分的に背面側に突出させることで形成されていることを特徴とする、請求項３に記載の薄型表示装置。
【手続補正３】
【補正対象書類名】図面
【補正対象項目名】全図
【補正方法】変更
【補正の内容】
【図１】
2013136639.tif 000011
【図２】
2013136639.tif 000012
【図３】
2013136639.tif 000013
【図４】
2013136639.tif 000014
【図５】
2013136639.tif 000015
【図６】
2013136639.tif 000016
【図７】
2013136639.tif 000017
【図８】
2013136639.tif 000018
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
平面型の表示パネルおよびその表示パネルに画像を表示するための駆動回路ブロックを有する表示ユニットと、
前記表示ユニットを収納し、梱包箱に収容されたときに、上部および下部コーナー部領域が、これらの領域に分離して配置された緩衝材により保持される外装ケースと
を備え、
前記外装ケースは、前記表示ユニットの背面側を覆うように前記表示ユニットに取り付けられるバックキャビネットを備え、
前記表示ユニットは、前記緩衝材で保持される前記上部および下部コーナー部領域の周縁部のみに設けられた補強用のビード部と、前記ビード部に設けられて前記バックキャビネットがねじ止めされる複数のねじ固定部とを備え、
前記ビード部の前記表示ユニット上の位置は、前記外装ケースの上部および下部コーナー部領域に配置された前記緩衝材の上下方向の端部が前記ビード部上に位置するように設定されていることを特徴とする、薄型表示装置。
【請求項２】
前記表示ユニットは、表示パネルの背面側に配置されて前記駆動回路ブロックの回路基板が取り付けられるフレームを有し、前記フレームの周縁部に前記ビード部と前記ねじ固定部とを備えることを特徴とする、請求項１に記載の薄型表示装置。
【請求項３】
前記ビード部は、前記フレームの周縁部を部分的に背面側に膨出させることで形成されていることを特徴とする、請求項２に記載の薄型表示装置。
【請求項４】
前記ねじ固定部は、前記ビード部を部分的に背面側に突出させることで形成されていることを特徴とする、請求項３に記載の薄型表示装置。
【手続補正２】
【補正対象書類名】明細書
【補正対象項目名】０００９
【補正方法】変更
【補正の内容】
【０００９】
この課題を解決するために本開示は、平面型の表示パネルおよびその表示パネルに画像を表示するための駆動回路ブロックを有する表示ユニットと、前記表示ユニットを収納し、梱包箱に収容されたときに、上部および下部コーナー部領域が、これらの領域に分離して配置された緩衝材により保持される外装ケースとを備え、前記外装ケースは、前記表示ユニットの背面側を覆うように前記表示ユニットに取り付けられるバックキャビネットを備え、前記表示ユニットは、前記緩衝材で保持される前記上部および下部コーナー部領域の周縁部のみに設けられた補強用のビード部と、前記ビード部に設けられて前記バックキャビネットがねじ止めされる複数のねじ固定部とを備え、前記ビード部の前記表示ユニット上の位置は、前記外装ケースの上部および下部コーナー部領域に配置された前記緩衝材の上下方向の端部が前記ビード部上に位置するように設定されていることを特徴とする、薄型表示装置を提供する。
【国際調査報告】
2013136639.tif 000019
2013136639.tif 000020
2013136639.tif 000021
2013136639.tif 000022